(57)【要約】【課題】搬送経路から連続紙を取り除くことなく、読取部に基準板を読み取らせて校正を行うことができる画像形成システムを提供する。【解決手段】画像形成装置と画像読取装置とを有する画像形成システムであって、画像形成装置は、用紙上に画像を形成する画像形成部を有し、画像読取装置は、画像形成部により用紙上に形成された画像を読み取る読取部３４１と、用紙の搬送経路内の読取位置Ｐ１と搬送経路外の退避位置Ｐ２との間で読取部３４１を移動させる読取部駆動部３４２と、退避位置Ｐ２にある読取部３４１により読み取られる基準面３４４ａを有する基準板３４４と、画像形成装置が連続紙に画像を形成するジョブを実行しているときに読取部３４１の校正を行う場合、読取位置Ｐ１から退避位置Ｐ２に読取部３４１を移動させ、読取部３４１に基準面３４４ａを読み取らせる制御を行う制御部と、を有する。【選択図】図２
2017147562.tif 000002
【特許請求の範囲】
【請求項１】
画像形成装置と画像読取装置とを有する画像形成システムであって、
前記画像形成装置は、
用紙上に画像を形成する画像形成部を有し、
前記画像読取装置は、
前記画像形成部により用紙上に形成された画像を読み取る読取部と、
前記用紙の搬送経路内の読取位置と搬送経路外の退避位置との間で前記読取部を移動させる読取部駆動部と、
前記退避位置にある前記読取部により読み取られる基準面を有する基準板と、
前記画像形成装置が連続紙に画像を形成するジョブを実行しているときに前記読取部の校正を行う場合、前記読取位置から前記退避位置に前記読取部を移動させ、前記読取部に前記基準面を読み取らせる制御を行う制御部と、を有する、画像形成システム。
【請求項２】
前記基準面は、前記読取位置にある前記読取部によっても読取可能に設けられ、
前記画像形成装置がカット紙に画像を形成するジョブを実行しているときに前記読取部の校正を行う場合、前記制御部は、前記読取位置から前記退避位置に前記読取部を移動させることなく、前記搬送経路を連続的に搬送されるカット紙の間に露出する前記基準面を前記読取部に読み取らせる制御を行う、請求項１に記載の画像形成システム。
【請求項３】
前記画像読取装置は、
前記読取部に追従するように、前記読取位置と前記退避位置との間で前記基準板を移動させる基準板駆動部をさらに有する、請求項２に記載の画像形成システム。
【請求項４】
前記基準板は、前記読取位置にある前記読取部により読み取られる前記基準面を有する第１基準板と、前記退避位置にある前記読取部により読み取られる前記基準面を有する第２基準板とを含む、請求項２に記載の画像形成システム。
【請求項５】
前記画像形成装置は、
前記画像形成部により画像が形成された用紙を挟持搬送する定着ローラー対を含む定着部をさらに有し、
前記画像形成装置が連続紙に画像を形成するジョブを実行しているときに前記読取部の校正を行う場合、前記画像形成部による画像形成処理が一時的に停止され、前記定着ローラー対が前記連続紙から離間される、請求項１〜４のいずれか１項に記載の画像形成システム。
【請求項６】
画像形成装置と画像読取装置とを有する画像形成システムであって、
前記画像形成装置は、
用紙上に画像を形成する画像形成部を有し、
前記画像読取装置は、
前記画像形成部により用紙上に形成された画像を読み取る読取部と、
前記用紙の搬送経路を挟んで前記読取部に対向する基準面を有する基準板と、
前記読取部の上流側の前記搬送経路上に設けられ、前記用紙に貫通孔を形成するパンチ部と、
前記画像形成装置が連続紙に画像を形成するジョブを実行しているときに前記読取部の校正を行う場合、前記連続紙を貫通する貫通孔を前記パンチ部に形成させ、前記貫通孔を介して前記読取部に前記基準面を読み取らせる制御を行う制御部と、を有する、画像形成システム。
【請求項７】
画像形成装置により用紙上に形成された画像を読み取る読取部と、
前記用紙の搬送経路内の読取位置と搬送経路外の退避位置との間で前記読取部を移動させる読取部駆動部と、
前記退避位置にある前記読取部により読み取られる基準面を有する基準板と、
前記画像形成装置が連続紙に画像を形成するジョブを実行しているときに前記読取部の校正を行う場合、前記読取位置から前記退避位置に前記読取部を移動させ、前記読取部に前記基準面を読み取らせる制御を行う制御部と、
を有する画像読取装置。
【請求項８】
画像形成装置により用紙上に形成された画像を読み取る読取部と、
前記用紙の搬送経路を挟んで前記読取部に対向する基準面を有する基準板と、
前記読取部の上流側の前記搬送経路上に設けられ、前記用紙に貫通孔を形成するパンチ部と、
前記画像形成装置が連続紙に画像を形成するジョブを実行しているときに前記読取部の校正を行う場合、前記連続紙を貫通する貫通孔を前記パンチ部に形成させ、前記貫通孔を介して前記読取部に前記基準面を読み取らせる制御を行う制御部と、
を有する画像読取装置。
【発明の詳細な説明】
【技術分野】
【０００１】
本発明は、画像形成システムおよび画像読取装置に関する。
【背景技術】
【０００２】
画像形成装置により用紙上に形成された画像を、後処理装置に備えられた測色計またはスキャナーにより読み取って画像を評価する画像形成システムがある。測色計およびスキャナー等の読取部により画像を読み取る場合、一定の時間間隔で読取部に白色基準板を読み取らせて読取部の校正を行う。白色基準板は、一般的に、用紙の搬送経路の直下に配置され、搬送経路上に用紙が存在しないときに読取部により読み取られる。
【０００３】
これに関連して、下記の特許文献１には、画像形成装置がロール紙上に画像を形成する際、ロール紙の白地領域を読取部に読み取らせて読取部の校正を行う技術が提案されている。この技術によれば、画像形成装置がロール紙に画像を形成する場合であっても、搬送経路からロール紙を取り除くことなく、読取部の校正を行うことができる。
【０００４】
しかしながら、特許文献１の技術では、ロール紙の白地領域の色味や反射率を保証できないため、枚葉印刷用ジャパンカラー（Ｊａｐａｎ  Ｃｏｌｏｒ）等の標準に基づく認証を得ることができない。このため、搬送経路からロール紙を取り除くことなく、読取部に白色基準板を読み取らせて読取部の校正を行うことが望まれている。
【先行技術文献】
【特許文献】
【０００５】
【特許文献１】特開２０１５−０７３１６２号公報
【発明の概要】
【発明が解決しようとする課題】
【０００６】
本発明は、上述した課題に鑑みてなされたものである。したがって、本発明の目的は、ロール紙等の連続紙を搬送経路から取り除くことなく、読取部に基準板を読み取らせて校正を行うことができる画像形成システムおよび画像読取装置を提供することである。
【課題を解決するための手段】
【０００７】
本発明の上記目的は、下記の手段によって達成される。
【０００８】
（１）画像形成装置と画像読取装置とを有する画像形成システムであって、前記画像形成装置は、用紙上に画像を形成する画像形成部を有し、前記画像読取装置は、前記画像形成部により用紙上に形成された画像を読み取る読取部と、前記用紙の搬送経路内の読取位置と搬送経路外の退避位置との間で前記読取部を移動させる読取部駆動部と、前記退避位置にある前記読取部により読み取られる基準面を有する基準板と、前記画像形成装置が連続紙に画像を形成するジョブを実行しているときに前記読取部の校正を行う場合、前記読取位置から前記退避位置に前記読取部を移動させ、前記読取部に前記基準面を読み取らせる制御を行う制御部と、を有する、画像形成システム。
【０００９】
（２）前記基準面は、前記読取位置にある前記読取部によっても読取可能に設けられ、前記画像形成装置がカット紙に画像を形成するジョブを実行しているときに前記読取部の校正を行う場合、前記制御部は、前記読取位置から前記退避位置に前記読取部を移動させることなく、前記搬送経路を連続的に搬送されるカット紙の間に露出する前記基準面を前記読取部に読み取らせる制御を行う、上記（１）に記載の画像形成システム。
【００１０】
（３）前記画像読取装置は、前記読取部に追従するように、前記読取位置と前記退避位置との間で前記基準板を移動させる基準板駆動部をさらに有する、上記（２）に記載の画像形成システム。
【００１１】
（４）前記基準板は、前記読取位置にある前記読取部により読み取られる前記基準面を有する第１基準板と、前記退避位置にある前記読取部により読み取られる前記基準面を有する第２基準板とを含む、上記（２）に記載の画像形成システム。
【００１２】
（５）前記画像形成装置は、前記画像形成部により画像が形成された用紙を挟持搬送する定着ローラー対を含む定着部をさらに有し、前記画像形成装置が連続紙に画像を形成するジョブを実行しているときに前記読取部の校正を行う場合、前記画像形成部による画像形成処理が一時的に停止され、前記定着ローラー対が前記連続紙から離間される、上記（１）〜（４）のいずれか１つに記載の画像形成システム。
【００１３】
（６）画像形成装置と画像読取装置とを有する画像形成システムであって、前記画像形成装置は、用紙上に画像を形成する画像形成部を有し、前記画像読取装置は、前記画像形成部により用紙上に形成された画像を読み取る読取部と、前記用紙の搬送経路を挟んで前記読取部に対向する基準面を有する基準板と、前記読取部の上流側の前記搬送経路上に設けられ、前記用紙に貫通孔を形成するパンチ部と、前記画像形成装置が連続紙に画像を形成するジョブを実行しているときに前記読取部の校正を行う場合、前記連続紙を貫通する貫通孔を前記パンチ部に形成させ、前記貫通孔を介して前記読取部に前記基準面を読み取らせる制御を行う制御部と、を有する、画像形成システム。
【００１４】
（７）画像形成装置により用紙上に形成された画像を読み取る読取部と、前記用紙の搬送経路内の読取位置と搬送経路外の退避位置との間で前記読取部を移動させる読取部駆動部と、前記退避位置にある前記読取部により読み取られる基準面を有する基準板と、前記画像形成装置が連続紙に画像を形成するジョブを実行しているときに前記読取部の校正を行う場合、前記読取位置から前記退避位置に前記読取部を移動させ、前記読取部に前記基準面を読み取らせる制御を行う制御部と、を有する画像読取装置。
【００１５】
（８）画像形成装置により用紙上に形成された画像を読み取る読取部と、前記用紙の搬送経路を挟んで前記読取部に対向する基準面を有する基準板と、前記読取部の上流側の前記搬送経路上に設けられ、前記用紙に貫通孔を形成するパンチ部と、前記画像形成装置が連続紙に画像を形成するジョブを実行しているときに前記読取部の校正を行う場合、前記連続紙を貫通する貫通孔を前記パンチ部に形成させ、前記貫通孔を介して前記読取部に前記基準面を読み取らせる制御を行う制御部と、を有する画像読取装置。
【発明の効果】
【００１６】
本発明によれば、搬送経路から連続紙を取り除くことなく、読取部に基準板を読み取らせて校正を行うことができる。その結果、搬送経路から連続紙を取り除く作業者の手間が省略されるとともに、画像形成装置の生産性が向上する。
【図面の簡単な説明】
【００１７】
【図１】本発明の第１実施形態に係る画像形成システムの概略構成を示す図である。
【図２】画像読取装置の測色部を用紙の搬送方向から見た図である。
【図３】連続紙印刷処理の手順を示すフローチャートである。
【図４】図３に後続するフローチャートである。
【図５】連続紙読取処理の手順を示すフローチャートである。
【図６】図５に後続するフローチャートである。
【図７】読取位置にある測色計を示す平面図である。
【図８】退避位置にある測色計を示す平面図である。
【図９】画像読取装置の作用効果を説明するための図である。
【図１０】カット紙印刷処理の手順を示すフローチャートである。
【図１１】カット紙読取処理の手順を示すフローチャートである。
【図１２】図１１に後続するフローチャートである。
【図１３】パッチ画像を測色する測色計を示す平面図である。
【図１４】第１白色基準板の基準面を測色する測色計を示す平面図である。
【図１５】変形例に係る測色部を用紙の搬送方向から見た図である。
【図１６】本発明の第２実施形態に係る画像形成システムの概略構成を示す図である。
【図１７】画像読取装置の測色部を用紙の搬送方向から見た図である。
【図１８】連続紙印刷処理の手順を示すフローチャートである。
【図１９】図１８に後続するフローチャートである。
【図２０】連続紙読取処理の手順を示すフローチャートである。
【図２１】図２０に後続するフローチャートである。
【図２２】第１白色基準板の基準面を測色する測色計を示す平面図である。
【発明を実施するための形態】
【００１８】
以下、図面を参照して、本発明の実施形態を詳細に説明する。
【００１９】
（第１実施形態）
図１は、本発明の第１実施形態に係る画像形成システム１の概略構成を示す図であり、図２は、画像読取装置３０の測色部を用紙の搬送方向から見た図である。
【００２０】
図１に示すとおり、本実施形態に係る画像形成システム１は、給紙装置１０、画像形成装置２０、画像読取装置３０、中綴じ装置４０、および排紙装置５０を備えている。給紙装置１０、画像形成装置２０、画像読取装置３０、中綴じ装置４０、および排紙装置５０は、用紙搬送の上流側から下流側へ順に連結されている。以下、給紙装置１０、画像形成装置２０、画像読取装置３０、中綴じ装置４０、および排紙装置５０の順番で説明する。
【００２１】
＜給紙装置＞
給紙装置１０は、ロール状に巻回された連続紙であるロール紙６０が着脱可能に取り付けられるホルダー１１を備えている。給紙装置１０は、画像形成装置２０による画像形成処理の実行時、ホルダー１１からロール紙６０を送り出し、送り出したロール紙６０を画像形成装置２０に供給する。ロール紙６０は、たとえば、台紙上にシール紙が仮着されてなるラベル紙である。
【００２２】
＜画像形成装置＞
画像形成装置２０は、制御部２１、記憶部２２、通信部２３、操作パネル２４、給紙部２５、画像形成部２６、および定着部２７を備えている。
【００２３】
制御部２１は、ＣＰＵ（Ｃｅｎｔｒａｌ  Ｐｒｏｃｅｓｓｉｎｇ  Ｕｎｉｔ）であり、プログラムにしたがって上記各部の制御や各種の演算処理を行う。本実施形態の制御部２１は、給紙装置１０および排紙装置５０の制御も行う。
【００２４】
記憶部２２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを格納するハードディスク等からなる。
【００２５】
通信部２３は、他の機器と通信するためのインターフェースであり、画像読取装置３０および中綴じ装置４０との間で、設定値や動作タイミング制御に必要な各種信号等の送受信を行う。
【００２６】
操作パネル２４は、タッチパネル、テンキー、スタートボタン、ストップボタン等を備えており、各種情報の表示および各種指示の入力に使用される。
【００２７】
給紙部２５は、印刷に使用されるカット紙７０を収容する。給紙部２５は、複数の給紙トレイを有しており、給紙トレイに収容されたカット紙７０を１枚ずつ画像形成部２６に送り出す。
【００２８】
画像形成部２６は、用紙上に画像を形成する。画像形成部２６は、電子写真式プロセスを用いて、各種データに基づく画像を転写ベルト上に形成し、転写ベルト上に形成した画像を用紙上に転写する。画像形成部２６の下部には、用紙反転機構２８が設けられており、画像形成部２６は、カット紙７０の両面に画像を形成することができる。
【００２９】
定着部２７は、画像形成部２６により用紙上に形成された画像を定着する。定着部２７は、用紙を挟持搬送する定着ローラー対を有し、画像が転写された用紙に熱と圧力とを加えて、用紙に画像を溶着させる。
【００３０】
＜画像読取装置＞
画像読取装置３０は、制御部３１、記憶部３２、通信部３３、および測色部３４を備えている。なお、画像読取装置３０の上記各部のうち、画像形成装置２０の上記各部と同様の機能を有する部分については、その説明を省略する。
【００３１】
測色部３４は、図２に示すとおり、測色計３４１、測色計駆動部３４２、第１白色基準板３４３、および第２白色基準板３４４を備えている。
【００３２】
測色計３４１は、用紙上に形成された画像を測色する。読取部としての測色計３４１は、たとえば、分光測色計であり、ガイド部材３４５により画定される搬送経路を搬送される用紙上の画像を測色する。
【００３３】
測色計駆動部３４２は、測色計３４１を移動させる。読取部駆動部としての測色計駆動部３４２は、たとえば、直動ステージと駆動モーターとから構成され、用紙の搬送経路内の読取位置Ｐ１と搬送経路外の退避位置Ｐ２との間で測色計３４１を移動させる。
【００３４】
第１白色基準板３４３は、読取位置Ｐ１にある測色計３４１により測色される基準面３４３ａを有する。第１基準板としての第１白色基準板３４３は、駆動モーター３４６に取り付けられており、測色計３４１の校正時、一部のガイド部材３４５ａに替わって搬送経路上に露出される。
【００３５】
第２白色基準板３４４は、退避位置Ｐ２にある測色計３４１により測色される基準面３４４ａを有する。第２基準板としての第２白色基準板３４４は、退避位置Ｐ２にある測色計３４１と基準面３４４ａが対向するように、退避位置Ｐ２に設けられている。第２白色基準板３４４は、第２白色基準板３４４の基準面３４４ａが、搬送経路上に露出される第１白色基準板３４３の基準面３４３ａと同じ高さになるように設けられている。
【００３６】
＜中綴じ装置＞
中綴じ装置４０は、制御部４１、記憶部４２、通信部４３、および中綴じ部４４を備えている。なお、中綴じ装置４０の上記各部のうち、画像形成装置２０の上記各部と同様の機能を有する部分については、その説明を省略する。
【００３７】
中綴じ部４４は、用紙を中折りする折り部と、中折りされた用紙の束をステープル留めして用紙束を綴じるステープル部とから構成される。
【００３８】
＜排紙装置＞
排紙装置５０は、ロール紙６０を巻き取るためのホルダー５１を備えている。排紙装置５０は、画像形成装置２０による画像形成処理の実行時、ホルダー５１によりロール紙６０を巻き取り、ロール紙６０を回収する。
【００３９】
なお、給紙装置１０、画像形成装置２０、画像読取装置３０、中綴じ装置４０、および排紙装置５０は、上記構成要素以外の構成要素を含んでいてもよく、あるいは、上記構成要素のうちの一部が含まれていなくてもよい。
【００４０】
以上のとおり構成される画像形成システム１では、画像形成装置２０により用紙上に画像が形成される場合、画像読取装置３０の測色計３４１により画像が測色される。このとき、一定の時間間隔で測色計３４１の校正が行われる。本実施形態の画像形成システム１では、ロール紙６０に画像を形成する印刷ジョブを画像形成装置２０が実行する場合と、カット紙７０に画像を形成する印刷ジョブを画像形成装置２０が実行する場合とで、測色計３４１の校正動作が変更される。具体的には、ロール紙６０に画像を形成する印刷ジョブを画像形成装置２０が実行する場合、測色計３４１が読取位置Ｐ１から退避位置Ｐ２に移動され、第２白色基準板３４４の基準面３４４ａを測色する。一方、カット紙７０に画像を形成する印刷ジョブを画像形成装置２０が実行する場合、測色計３４１が読取位置Ｐ１に維持されたまま、第１白色基準板３４３の基準面３４３ａを測色する。以下、図３〜図１４を参照して、画像形成システム１の動作について詳細に説明する。
【００４１】
（１）ロール紙に画像を形成する場合の画像形成システムの動作
まず、図３〜図９を参照して、ロール紙６０に画像を形成する印刷ジョブを画像形成装置２０が実行する場合の画像形成システム１の動作について説明する。
【００４２】
図３および図４は、画像形成装置２０により実行される連続紙印刷処理の手順を示すフローチャートである。なお、図３および図４のフローチャートにより示されるアルゴリズムは、画像形成装置２０の記憶部２２にプログラムとして記憶されており、制御部２１によって実行される。
【００４３】
まず、画像形成装置２０は、画像読取装置３０に校正を指示する（ステップＳ１０１）。より具体的には、制御部２１が、画像読取装置３０に測色計３４１の校正を指示して、測色計３４１の校正を行わせる。測色計３４１の校正を完了した画像読取装置３０は、画像形成装置２０に校正完了を通知する。
【００４４】
次に、画像形成装置２０は、校正が完了したか否かを判断する（ステップＳ１０２）。より具体的には、制御部２１が、画像読取装置３０から校正完了を通知されたか否かを判断する。校正が完了していないと判断する場合（ステップＳ１０２：ＮＯ）、画像形成装置２０は、校正が完了するまで待機する。
【００４５】
一方、校正が完了したと判断する場合（ステップＳ１０２：ＹＥＳ）、画像形成装置２０は、画像形成および用紙搬送を開始し（ステップＳ１０３）、後処理装置に用紙の搬送開始を指示する（ステップＳ１０４）。より具体的には、まず、制御部２１が、画像形成装置２０内の搬送ローラー（不図示）を制御して、給紙装置１０から送出されるロール紙６０の搬送を開始させる。そして、制御部２１が、画像形成部２６を制御して、ロール紙６０上への画像形成を開始させる。加えて、制御部２１が、画像読取装置３０および中綴じ装置４０に用紙の搬送開始を指示して、ロール紙６０の搬送を開始させる。
【００４６】
以上のとおり、図３のステップＳ１０１〜Ｓ１０４に示す処理によれば、ロール紙６０に画像を形成する印刷ジョブの実行時、画像形成装置２０による画像形成処理の開始に先立って、画像読取装置３０による測色計３４１の校正が行われる。測色計３４１の校正が完了すれば、画像形成システム１内でロール紙６０の搬送が開始され、画像形成装置２０によるロール紙６０への画像形成処理が開始される。画像形成処理の実行中、画像形成装置２０によりロール紙６０上に形成された画像は、画像読取装置３０の測色計３４１により測色される。
【００４７】
次に、画像形成装置２０は、校正が必要な時間になったか否かを判断する（ステップＳ１０５）。より具体的には、制御部２１が、測色計３４１の前回の校正時から所定時間（たとえば、３０分）が経過したか否かを判断する。
【００４８】
校正が必要な時間になっていないと判断する場合（ステップＳ１０５：ＮＯ）、画像形成装置２０は、ステップＳ１１２の処理に移る。
【００４９】
一方、校正が必要な時間になったと判断する場合（ステップＳ１０５：ＹＥＳ）、画像形成装置２０は、画像形成および用紙搬送を停止する（ステップＳ１０６）。より具体的には、制御部２１が、画像形成装置２０内の搬送ローラーを制御して、ロール紙６０の搬送を停止させる。また、制御部２１が、画像形成部２６を制御して、ロール紙６０上への画像形成を停止させる。
【００５０】
次に、画像形成装置２０は、定着部２７を離間する（ステップＳ１０７）。より具体的には、制御部２１が、定着部２７を制御して、定着ローラー対を相互に離間させる。定着ローラー対が相互に離間することにより、定着ローラーがロール紙６０から離れる。
【００５１】
次に、画像形成装置２０は、画像読取装置３０に校正を指示する（ステップＳ１０８）。そして、画像形成装置２０は、校正が完了したか否かを判断する（ステップＳ１０９）。校正が完了していないと判断する場合（ステップＳ１０９：ＮＯ）、画像形成装置２０は、校正が完了するまで待機する。
【００５２】
一方、校正が完了したと判断する場合（ステップＳ１０９：ＹＥＳ）、画像形成装置２０は、画像形成および用紙搬送を再開し（ステップＳ１１０）、後処理装置に用紙の搬送再開を指示する（ステップＳ１１１）。より具体的には、制御部２１が、画像形成装置２０内の搬送ローラーを制御して、ロール紙６０の搬送を再開させる。また、制御部２１が、画像形成部２６を制御して、ロール紙６０上への画像形成を再開させる。そして、制御部２１が、画像読取装置３０および中綴じ装置４０に用紙の搬送再開を指示して、ロール紙６０の搬送を再開させる。
【００５３】
以上のとおり、図３のステップＳ１０５〜Ｓ１１１に示す処理によれば、ロール紙６０に画像を形成する印刷ジョブが実行される間、一定の時間間隔で、測色計３４１の校正が行われる。測色計３４１の校正が行われる場合、画像形成処理が一時的に停止され、ロール紙６０から定着ローラー対が離間される。このような構成によれば、定着ローラー対の熱によるロール紙６０の変形や粘着層の溶解が防止される。
【００５４】
次に、画像形成装置２０は、測色結果異常があるか否かを判断する（ステップＳ１１２）。より具体的には、制御部２１が、画像読取装置３０から測色結果異常を通知されたか否かを判断する。
【００５５】
測色結果異常があると判断する場合（ステップＳ１１２：ＹＥＳ）、画像形成装置２０は、画像形成および用紙搬送を停止する（ステップＳ１１４）。
【００５６】
そして、画像形成装置２０は、後処理装置に用紙の搬送停止を指示し（ステップＳ１１５）、処理を終了する。より具体的には、制御部２１が、画像読取装置３０および中綴じ装置４０に用紙の搬送停止を指示してロール紙６０の搬送を停止させ、処理を終了する。
【００５７】
一方、測色結果異常がないと判断する場合（ステップＳ１１２：ＮＯ）、画像形成装置２０は、印刷が終了したか否かを判断する（ステップＳ１１３）。より具体的には、制御部２１が、印刷ジョブが終了したか否かを判断する。
【００５８】
印刷が終了していないと判断する場合（ステップＳ１１３：ＮＯ）、画像形成装置２０は、ステップＳ１０５の処理に戻る。そして、画像形成装置２０は、印刷が終了するまで、ステップＳ１０５以下の処理を繰り返す。
【００５９】
一方、印刷が終了したと判断する場合（ステップＳ１１３：ＹＥＳ）、画像形成装置２０は、画像形成および用紙搬送を停止する（ステップＳ１１４）。そして、画像形成装置２０は、後処理装置に用紙の搬送停止を指示し（ステップＳ１１５）、処理を終了する。
【００６０】
以上のとおり、図３および図４に示すフローチャートの処理によれば、一定の時間間隔で測色計３４１の校正を行いつつ、ロール紙６０に画像を形成する印刷ジョブが実行される。そして、印刷ジョブが終了した場合、あるいは、測色計３４１による測色結果に異常が検出された場合、印刷が停止される。以下、図５〜図９を参照して、測色計３４１の校正を行う画像読取装置３０の動作について詳細に説明する。
【００６１】
図５および図６は、画像読取装置３０により実行される連続紙読取処理の手順を示すフローチャートである。なお、図５および図６のフローチャートにより示されるアルゴリズムは、画像読取装置３０の記憶部３２にプログラムとして記憶されており、制御部３１によって実行される。また、連続紙読取処理の実行開始時、画像読取装置３０にはロール紙６０が供給されておらず、測色計３４１は、搬送経路内の読取位置Ｐ１に位置される。
【００６２】
まず、画像読取装置３０は、画像形成装置２０から校正指示が来たか否かを判断する（ステップＳ２０１）。より具体的には、制御部３１が、画像形成装置２０から測色計３４１の校正を指示されたか否かを判断する。校正指示が来ていないと判断する場合（ステップＳ２０１：ＮＯ）、画像読取装置３０は、校正指示が来るまで待機する。
【００６３】
一方、校正指示が来たと判断する場合（ステップＳ２０１：ＹＥＳ）、画像読取装置３０は、第１白色基準板３４３を読み取る（ステップＳ２０２）。より具体的には、制御部３１が、読取位置Ｐ１にある測色計３４１を制御して、第１白色基準板３４３の基準面３４３ａを測色させる。測色計３４１が第１白色基準板３４３を測色すれば、測色結果を利用して測色計３４１の校正が行われる。なお、白色基準板の測色結果を利用して測色計の校正を行う技術自体は、周知の技術であるため、詳細な説明は省略する。
【００６４】
次に、画像読取装置３０は、画像形成装置２０に校正完了を通知する（ステップＳ２０３）。より具体的には、制御部３１が、測色計３４１の校正完了を画像形成装置２０に通知する。
【００６５】
次に、画像読取装置３０は、画像形成装置２０から搬送開始指示が来たか否かを判断する（ステップＳ２０４）。より具体的には、制御部３１が、画像形成装置２０から用紙の搬送開始を指示されたか否かを判断する。搬送開始指示が来ていないと判断する場合（ステップＳ２０４：ＮＯ）、画像読取装置３０は、搬送開始指示が来るまで待機する。
【００６６】
一方、搬送開始指示が来たと判断する場合（ステップＳ２０４：ＹＥＳ）、画像読取装置３０は、用紙搬送および測色を開始する（ステップＳ２０５）。より具体的には、制御部３１が、画像読取装置３０内の搬送ローラーを制御して、画像形成装置２０から排出されるロール紙６０の搬送を開始させる。そして、制御部３１が、読取位置Ｐ１にある測色計３４１を制御して、ロール紙６０上の画像の測色を開始させる。
【００６７】
以上のとおり、図５のステップＳ２０１〜Ｓ２０５に示す処理によれば、画像形成装置２０による画像形成処理の開始に先立って、測色計３４１の校正が行われる。測色計３４１の校正が完了すれば、画像形成装置２０によるロール紙６０への画像形成処理が開始され、画像形成装置２０によりロール紙６０上に形成された画像が測色計３４１により測色される。
【００６８】
次に、画像読取装置３０は、画像形成装置２０から校正指示が来たか否かを判断する（ステップＳ２０６）。校正指示が来ていないと判断する場合（ステップＳ２０６：ＮＯ）、画像読取装置３０は、ステップＳ２１４の処理に移る。
【００６９】
一方、校正指示が来たと判断する場合（ステップＳ２０６：ＹＥＳ）、画像読取装置３０は、用紙搬送および測色を停止する（ステップＳ２０７）。より具体的には、制御部３１が、画像読取装置３０内の搬送ローラーを制御して、ロール紙６０の搬送を停止させる。また、制御部３１が、読取位置Ｐ１にある測色計３４１を制御して、ロール紙６０上の画像の測色を停止させる。
【００７０】
次に、画像読取装置３０は、測色計３４１を退避位置Ｐ２まで移動する（ステップＳ２０８）。より具体的には、制御部３１が、測色計駆動部３４２を制御して、読取位置Ｐ１にある測色計３４１を退避位置Ｐ２まで移動させる。
【００７１】
次に、画像読取装置３０は、第２白色基準板３４４を読み取る（ステップＳ２０９）。より具体的には、制御部３１が、退避位置Ｐ２にある測色計３４１を制御して、第２白色基準板３４４の基準面３４４ａを測色させる。測色計３４１が第２白色基準板３４４を測色すれば、測色結果を利用して測色計３４１の校正が行われる。
【００７２】
次に、画像読取装置３０は、測色計３４１を読取位置Ｐ１まで移動する（ステップＳ２１０）。より具体的には、制御部３１が、測色計駆動部３４２を制御して、退避位置Ｐ２にある測色計３４１を読取位置Ｐ１まで移動させる。そして、画像読取装置３０は、画像形成装置２０に校正完了を通知する（ステップＳ２１１）。
【００７３】
次に、画像読取装置３０は、画像形成装置２０から搬送再開指示が来たか否かを判断する（ステップＳ２１２）。より具体的には、制御部３１が、画像形成装置２０から用紙の搬送再開を指示されたか否かを判断する。搬送再開指示が来ていないと判断する場合（ステップＳ２１２：ＮＯ）、画像読取装置３０は、搬送再開指示が来るまで待機する。
【００７４】
一方、搬送再開指示が来たと判断する場合（ステップＳ２１２：ＹＥＳ）、画像読取装置３０は、用紙搬送および測色を再開する（ステップＳ２１３）。より具体的には、制御部３１が、画像読取装置３０内の搬送ローラーを制御して、ロール紙６０の搬送を再開させる。また、制御部３１が、読取位置Ｐ１にある測色計３４１を制御して、ロール紙６０上の画像の測色を再開させる。
【００７５】
以上のとおり、図５のステップＳ２０６〜図６のステップＳ２１３に示す処理によれば、測色計３４１の校正時、ロール紙６０上の画像の測色が一時的に停止され、測色計３４１が読取位置Ｐ１から退避位置Ｐ２に移動される。そして、退避位置Ｐ２にある測色計３４１により第２白色基準板３４４の基準面３４４ａが測色される。その後、測色計３４１が退避位置Ｐ２から読取位置Ｐ１に戻され、ロール紙６０上の画像の測色が再開される。
【００７６】
次に、画像読取装置３０は、測色結果が正常であるか否かを判断する（ステップＳ２１４）。より具体的には、制御部３１が、測色計３４１による画像の測色結果が正常であるか否かを判断する。
【００７７】
測色結果が正常であると判断する場合（ステップＳ２１４：ＹＥＳ）、画像読取装置３０は、画像形成装置２０から搬送停止指示が来たか否かを判断する（ステップＳ２１５）。より具体的には、制御部３１が、画像形成装置２０から用紙の搬送停止を指示されたか否かを判断する。
【００７８】
搬送停止指示が来ていないと判断する場合（ステップＳ２１５：ＮＯ）、画像読取装置３０は、ステップＳ２０６の処理に戻る。一方、搬送停止指示が来たと判断する場合（ステップＳ２１５：ＹＥＳ）、画像読取装置３０は、用紙搬送および測色を停止し（ステップＳ２１６）、処理を終了する。
【００７９】
一方、ステップＳ２１５に示す処理において、測色結果が正常でないと判断する場合（ステップＳ２１４：ＮＯ）、画像読取装置３０は、画像形成装置２０に測色結果異常を通知する（ステップＳ２１７）。より具体的には、制御部３１が、画像形成装置２０に測色結果異常を通知する。
【００８０】
次に、画像読取装置３０は、画像形成装置２０から搬送停止指示が来たか否かを判断する（ステップＳ２１８）。搬送停止指示が来ていないと判断する場合（ステップＳ２１８：ＮＯ）、画像読取装置３０は、搬送停止指示が来るまで待機する。
【００８１】
一方、搬送停止指示が来たと判断する場合（ステップＳ２１８：ＹＥＳ）、画像読取装置３０は、用紙搬送および測色を停止し（ステップＳ２１６）、処理を終了する。
【００８２】
以上のとおり、図５および図６に示すフローチャートの処理によれば、ロール紙６０に画像を形成する印刷ジョブを画像形成装置２０が実行している間、一定の時間間隔で測色計３４１の校正を行いつつ、ロール紙６０上の画像の測色が行われる。測色計３４１の校正を行う場合、ロール紙６０の搬送経路内の読取位置Ｐ１から搬送経路外の退避位置Ｐ２に測色計３４１が移動され、退避位置Ｐ２にある第２白色基準板３４４の基準面３４４ａが測色計３４１により測色される。このような構成によれば、搬送経路からロール紙６０を取り除くことなく、測色計３４１の校正を行うことができる。
【００８３】
次に、図７および図８を参照して、測色計３４１の校正時の画像読取装置３０の動作についてより詳細に説明する。
【００８４】
図７は、読取位置Ｐ１にある測色計３４１を示す平面図であり、図８は、退避位置Ｐ２にある測色計３４１を示す平面図である。
【００８５】
図７に示すとおり、画像読取装置３０内を矢印Ａの向きに搬送されるロール紙６０は、ラベル描画領域６１とパッチ描画領域６２とを含む。ラベル描画領域６１には、画像形成装置２０によりラベル画像が形成されている。パッチ描画領域６２には、画像形成装置２０によりパッチ画像６５が形成されている。画像形成装置２０による画像形成処理の実行時、読取位置Ｐ１にある測色計３４１は、測色ポイント３４１ａを通過するパッチ画像６５を測色する。
【００８６】
そして、画像形成装置２０による印刷ジョブの実行中に測色計３４１の校正が行われる場合、図８に示すとおり、測色計３４１は、読取位置Ｐ１から退避位置Ｐ２に移動される。そして、測色計３４１は、退避位置Ｐ２にある第２白色基準板３４４の基準面３４４ａを測色する。このような構成によれば、印刷ジョブの実行時、搬送経路からロール紙６０を取り除くことなく、測色計３４１の校正を行うことができる。その結果、搬送経路からロール紙６０を取り除く作業者の手間が省略されるとともに、画像形成装置２０の生産性が向上する。
【００８７】
なお、図９に示すとおり、搬送経路上にロール紙６０が存在する場合、ロール紙６０と測色計３４１との間に白色基準板３６０を挿入して測色計３４１の校正を行うことも考えられ得る。しかしながら、測色計３４１は、ＬＥＤ（Ｌｉｇｈｔ  Ｅｍｉｔｔｉｎｇ  Ｄｉｏｄｅ）素子３４１ｂからの光を光学系３４１ｃにより用紙表面に集光し、反射光を受光素子３４１ｄにより受光する。このため、ロール紙６０の上方に白色基準板３６０を挿入した場合、白色基準板３６０の基準面に焦点が合わず、測色計３４１を精度よく校正することができない。一方、本実施形態によれば、測色計３４１は、用紙と同程度の高さにある第２白色基準板３４４の基準面３４４ａを測色するため、測色計３４１を精度よく校正することができる。
【００８８】
また、上述した連続紙読取処理では、画像形成処理の開始に先立って測色計３４１を校正する際、測色計３４１は、読取位置Ｐ１に維持されたまま、第１白色基準板３４３の基準面３４３ａを測色した。しかしながら、画像形成処理の開始に先立って測色計３４１を校正する場合、測色計３４１は、読取位置Ｐ１から退避位置Ｐ２に移動され、第２白色基準板３４４の基準面３４４ａを測色してもよい。
【００８９】
さらに、上述した連続紙印刷処理および連続紙読取処理では、測色計３４１の校正時、画像形成処理が一時的に停止された。しかしながら、画像形成処理を一時的に停止することなく測色計３４１を退避位置Ｐ２に移動して、測色計３４１の校正を行ってもよい。
【００９０】
（２）カット紙に画像を形成する場合の画像形成システムの動作
次に、図１０〜図１４を参照して、カット紙７０に画像を形成する印刷ジョブを画像形成装置２０が実行する場合の画像形成システム１の動作について説明する。
【００９１】
図１０は、画像形成装置２０により実行されるカット紙印刷処理の手順を示すフローチャートである。なお、カット紙７０に画像が形成される場合、画像形成システム１から給紙装置１０および排紙装置５０が取り外され、中綴じ装置４０に排紙トレイ（不図示）が取り付けられる。
【００９２】
ステップＳ３０１〜Ｓ３０５に示す処理は、図３のステップＳ１０１〜Ｓ１０５に示す処理と同様であるため、説明は省略する。
【００９３】
そして、ステップＳ３０５に示す処理において、校正が必要な時間になっていないと判断する場合（ステップＳ３０５：ＮＯ）、画像形成装置２０は、ステップＳ３０８の処理に移る。
【００９４】
一方、ステップＳ３０５に示す処理において、校正が必要な時間になったと判断する場合（ステップＳ３０５：ＹＥＳ）、画像形成装置２０は、特定紙間をあけて印刷を行う（ステップＳ３０６）。より具体的には、制御部２１が、画像形成装置２０内の搬送ローラーおよび画像形成部２６を制御して、特定のカット紙７０への画像形成タイミングを遅らせ、搬送経路を搬送される特定のカット紙７０と直前のカット紙７０との間隔を他のカット紙７０の間隔よりも広げる。
【００９５】
そして、画像形成装置２０は、画像読取装置３０に用紙ＩＤを通知する（ステップＳ３０７）。より具体的には、制御部２１が、特定のカット紙７０の直前のカット紙７０の用紙ＩＤ（識別情報）を画像読取装置３０に通知する。用紙ＩＤを通知された画像読取装置３０は、搬送間隔があけられた２枚のカット紙７０の間の領域を利用して、測色計３４１の校正を行う。
【００９６】
ステップＳ３０８〜Ｓ３１１に示す処理は、図４のステップＳ１１２〜Ｓ１１５に示す処理と同様であるため、説明は省略する。
【００９７】
以上のとおり、図１０に示すフローチャートの処理によれば、一定の時間間隔で測色計３４１の校正を行いつつ、カット紙７０に画像を形成する印刷ジョブが実行される。測色計３４１の校正を行う場合、画像形成装置２０により、カット紙７０間の間隔をあけた印刷が行われる。そして、印刷ジョブが終了した場合、あるいは、測色計３４１による測色結果に異常が検出された場合、印刷が停止される。
【００９８】
図１１および図１２は、画像読取装置３０により実行されるカット紙読取処理の手順を示すフローチャートである。
【００９９】
ステップＳ４０１〜Ｓ４０５に示す処理は、図５のステップＳ２０１〜Ｓ２０５に示す処理と同様であるため、説明は省略する。
【０１００】
次に、画像読取装置３０は、画像形成装置２０から用紙ＩＤが来たか否かを判断する（ステップＳ４０６）。より具体的には、制御部３１が、画像形成装置２０から用紙ＩＤを通知されたか否かを判断する。用紙ＩＤが来ていないと判断する場合（ステップＳ４０６：ＮＯ）、画像読取装置３０は、ステップＳ４１１の処理に移る。
【０１０１】
一方、用紙ＩＤが来たと判断する場合（ステップＳ４０６：ＹＥＳ）、画像読取装置３０は、直前の用紙が機外に出たか否かを判断する（ステップＳ４０７）。より具体的には、制御部３１が、用紙ＩＤにより特定されるカット紙７０が画像読取装置３０の外部に排出されたか否かを判断する。直前の用紙が機外に出ていないと判断する場合（ステップＳ４０７：ＮＯ）、画像読取装置３０は、直前の用紙が機外に出るまで待機する。
【０１０２】
一方、直前の用紙が機外に出たと判断する場合（ステップＳ４０７：ＹＥＳ）、画像読取装置３０は、測色を停止する（ステップＳ４０８）。より具体的には、制御部３１が、測色計３４１を制御して、カット紙７０上の画像の測色を停止させる。
【０１０３】
そして、画像読取装置３０は、第１白色基準板３４３を読み取る（ステップＳ４０９）。より具体的には、制御部３１が、測色計３４１を制御して、間隔をあけて搬送される２枚のカット紙７０の間に露出する第１白色基準板３４３の基準面３４３ａを測色させる。測色計３４１が第１白色基準板３４３を測色すれば、測色結果を利用して測色計３４１の校正が行われる。
【０１０４】
次に、画像読取装置３０は、測色を再開する（ステップＳ４１０）。より具体的には、制御部３１が、測色計３４１を制御して、カット紙７０上の画像の測色を再開させる。
【０１０５】
ステップＳ４１１〜Ｓ４１５に示す処理は、図６のステップＳ２１４〜Ｓ２１８に示す処理と同様であるため、説明は省略する。
【０１０６】
以上のとおり、図１１および図１２に示すフローチャートの処理によれば、カット紙７０に画像を形成する印刷ジョブを画像形成装置２０が実行している間、一定の時間間隔で測色計３４１の校正を行いつつ、カット紙７０上の画像の測色が行われる。測色計３４１の校正を行う場合、間隔をあけて搬送される２枚のカット紙７０の間に露出する第１白色基準板３４３の基準面３４３ａが測色計３４１により測色される。このような構成によれば、測色計３４１の校正を短時間で行うことができる。
【０１０７】
次に、図１３および図１４を参照して、測色計３４１の校正時の画像読取装置３０の動作についてより詳細に説明する。
【０１０８】
図１３は、パッチ画像を測色する測色計３４１を示す平面図であり、図１４は、第１白色基準板３４３の基準面を測色する測色計３４１を示す平面図である。
【０１０９】
図１３に示すとおり、画像読取装置３０内を連続的に搬送されるカット紙７０は、ラベル描画領域７１とパッチ描画領域７２とを含む。ラベル描画領域７１には、画像形成装置２０によりラベル画像が形成されている。パッチ描画領域７２には、画像形成装置２０によりパッチ画像７５が形成されている。画像形成装置２０による画像形成処理の実行時、読取位置Ｐ１にある測色計３４１は、測色ポイント３４１ａを通過するパッチ画像７５を測色する。
【０１１０】
そして、画像形成装置２０による印刷ジョブの実行中に測色計３４１の校正が行われる場合、図１４に示すとおり、測色計３４１は、読取位置Ｐ１に維持されたまま、間隔をあけて搬送される２枚のカット紙７０の間に露出する第１白色基準板３４３の基準面３４３ａを測色する。このような構成によれば、印刷ジョブの実行時、測色計３４１の校正を短時間で行うことができる。
【０１１１】
（変形例）
なお、上述した実施形態では、測色計３４１は、読取位置Ｐ１と退避位置Ｐ２とで異なる白色基準板３４３，３４４の基準面を測色した。しかしながら、測色計３４１は、読取位置Ｐ１と退避位置Ｐ２とで同じ白色基準板の基準面を測色してもよい。
【０１１２】
図１５は、変形例に係る測色部３４を用紙の搬送方向から見た図である。図１５に示すとおり、変形例に係る測色部３４は、測色計３４１、測色計駆動部３４２、第１白色基準板３４３、および基準板駆動部３４７を備えている。
【０１１３】
基準板駆動部３４７は、読取位置Ｐ１と退避位置Ｐ２との間で第１白色基準板３４３を移動させる。基準板駆動部３４７は、たとえば、直動ステージと駆動モーターとから構成され、測色計３４１の移動に従動するように、測色計３４１を移動させる。
【０１１４】
そして、測色計３４１は、読取位置Ｐ１と退避位置Ｐ２とで同一の白色基準板３４３の基準面３４３ａを測色する。このような構成によれば、第２白色基準板を省略することができる。
【０１１５】
（第２実施形態）
次に、図１６〜図２２を参照して、本発明の第２実施形態について説明する。本実施形態は、ロール紙に貫通孔を形成して白色基準板を読み取る実施形態である。
【０１１６】
図１６は、本発明の第２実施形態に係る画像形成システム１の概略構成を示す図であり、図１７は、画像読取装置３０の測色部を用紙の搬送方向から見た図である。
【０１１７】
図１６に示すとおり、本実施形態に係る画像形成システム１は、給紙装置１０、画像形成装置２０、画像読取装置３０、中綴じ装置４０、および排紙装置５０を備えている。給紙装置１０、画像形成装置２０、画像読取装置３０、中綴じ装置４０、および排紙装置５０は、用紙搬送の上流側から下流側へ順に連結されている。なお、給紙装置１０、画像形成装置２０、中綴じ装置４０、および排紙装置５０の構成は、第１実施形態と同様であるため、給紙装置１０、画像形成装置２０、中綴じ装置４０、および排紙装置５０についての詳細な説明は省略する。
【０１１８】
画像読取装置３０は、制御部３１、記憶部３２、通信部３３、測色部３４、およびパンチ部３５を備えている。
【０１１９】
測色部３４は、図１７に示すとおり、測色計３４１および第１白色基準板３４３を備えている。測色計３４１は、ガイド部材３４５により画定される搬送経路内の読取位置Ｐ１に設けられている。第１白色基準板３４３は、読取位置Ｐ１にある測色計３４１により測色される基準面３４３ａを有する。第１白色基準板３４３は、駆動モーター３４６に取り付けられており、測色計３４１の校正時、一部のガイド部材３４５ａに替わって搬送経路上に露出される。
【０１２０】
パンチ部３５は、用紙にパンチ穴を形成する。パンチ部３５は、測色部３４よりも上流側の搬送経路上に設けられ、ロール紙６０のパッチ描画領域６２にパンチ穴を形成する。
【０１２１】
以上のとおり構成される本実施形態の画像形成システム１では、ロール紙６０に画像を形成する印刷ジョブを画像形成装置２０が実行している間に測色計３４１の校正が行われる場合、パンチ部３５によりロール紙６０にパンチ穴が形成される。そして、ロール紙６０に形成されたパンチ穴を通じて、測色計３４１により第１白色基準板３４３の基準面３４３ａが測色される。以下、図１８〜図２２を参照して、本実施形態に係る画像形成システム１の動作について詳細に説明する。
【０１２２】
図１８および図１９は、本実施形態に係る連続紙印刷処理の手順を示すフローチャートである。
【０１２３】
ステップＳ５０１〜Ｓ５０７に示す処理は、図３のステップＳ１０１〜Ｓ１０７に示す処理と同様であるため、説明は省略する。
【０１２４】
次に、画像形成装置２０は、画像読取装置３０にパンチを指示する（ステップＳ５０８）。より具体的には、制御部２１が、画像読取装置３０にパンチ穴の形成を指示して、ロール紙６０にパンチ穴を形成させる。パンチ穴の形成を完了した画像読取装置３０は、画像形成装置２０にパンチ完了を通知する。
【０１２５】
次に、画像形成装置２０は、パンチが完了したか否かを判断する（ステップＳ５０９）。より具体的には、制御部２１が、画像読取装置３０からパンチ完了を通知されたか否かを判断する。パンチが完了していないと判断する場合（ステップＳ５０９：ＮＯ）、画像形成装置２０は、パンチが完了するまで待機する。
【０１２６】
一方、パンチが完了したと判断する場合（ステップＳ５０９：ＹＥＳ）、画像形成装置２０は、用紙を所定量だけ搬送する（ステップＳ５１０）。より具体的には、制御部２１が、画像形成装置２０内の搬送ローラーを制御して、ロール紙６０を所定量だけ搬送させる。ここで、所定量は、ロール紙６０に形成されたパンチ穴が測色計３４１の測色ポイントまで移動する量であり、パンチ部３５と測色計３４１との距離により決定される。
【０１２７】
次に、画像形成装置２０は、画像読取装置３０に校正を指示する（ステップＳ５１１）。ステップＳ５１１〜Ｓ５１８に示す処理は、図３のステップＳ１０８〜Ｓ１１５に示す処理と同様であるため、説明は省略する。
【０１２８】
以上のとおり、図１８および図１９に示すフローチャートの処理によれば、一定の時間間隔で測色計３４１の校正を行いつつ、ロール紙６０に画像を形成する印刷ジョブが実行される。そして、印刷ジョブが終了した場合、あるいは、測色計３４１による測色結果に異常が検出された場合、印刷が停止される。
【０１２９】
図２０および図２１は、本実施形態に係る連続紙読取処理の手順を示すフローチャートである。
【０１３０】
ステップＳ６０１〜Ｓ６０５に示す処理は、図５のステップＳ２０１〜Ｓ２０５に示す処理と同様であるため、説明は省略する。
【０１３１】
次に、画像読取装置３０は、画像形成装置２０からパンチ指示が来たか否かを判断する（ステップＳ６０６）。より具体的には、制御部３１が、画像形成装置２０からパンチ穴の形成を指示されたか否かを判断する。パンチ指示が来ていないと判断する場合（ステップＳ６０６：ＮＯ）、画像読取装置３０は、ステップＳ６１６の処理に移る。
【０１３２】
一方、パンチ指示が来たと判断する場合（ステップＳ６０６：ＹＥＳ）、画像読取装置３０は、用紙搬送および測色を停止する（ステップＳ６０７）。
【０１３３】
次に、画像読取装置３０は、パンチ穴を形成する（ステップＳ６０８）。より具体的には、制御部３１が、パンチ部３５を制御して、ロール紙６０にパンチ穴を形成させる。
【０１３４】
そして、画像読取装置３０は、画像形成装置２０にパンチ完了を通知する（ステップＳ６０９）。より具体的には、制御部３１が、ロール紙６０へのパンチ穴の形成完了を画像形成装置２０に通知する。
【０１３５】
次に、画像読取装置３０は、用紙を所定量だけ搬送する（ステップＳ６１０）。より具体的には、制御部３１が、画像読取装置３０内の搬送ローラーを制御して、ロール紙６０を所定量だけ搬送させる。その結果、測色計３４１の測色ポイントにパンチ穴が移動して、パンチ穴から第１白色基準板３４３の基準面３４３ａが露出する。
【０１３６】
次に、画像読取装置３０は、画像形成装置２０から校正指示が来たか否かを判断する（ステップＳ６１１）。校正指示が来ていないと判断する場合（ステップＳ６１１：ＮＯ）、画像読取装置３０は、校正指示が来るまで待機する。
【０１３７】
一方、校正指示が来たと判断する場合（ステップＳ６１１：ＹＥＳ）、画像読取装置３０は、第１白色基準板３４３を読み取る（ステップＳ６１２）。より具体的には、制御部３１が、読取位置Ｐ１にある測色計３４１を制御して、パンチ穴から露出する第１白色基準板３４３の基準面３４３ａを測色させる。
【０１３８】
ステップＳ６１３〜Ｓ６２０に示す処理は、図５のステップＳ２１１〜図６のＳ２１８に示す処理と同様であるため、説明は省略する。
【０１３９】
以上のとおり、図２０および図２１に示すフローチャートの処理によれば、ロール紙６０に画像を形成する印刷ジョブを画像形成装置２０が実行している間、一定の時間間隔で測色計３４１の校正を行いつつ、ロール紙６０上の画像の測色が行われる。測色計３４１の校正を行う場合、ロール紙６０にパンチ穴が形成され、パンチ穴を通じて第１白色基準板３４３の基準面３４３ａが測色計３４１により測色される。このような構成によれば、搬送経路からロール紙６０を取り除くことなく、測色計３４１の校正を行うことができる。
【０１４０】
次に、図２２を参照して、測色計３４１の校正時の画像読取装置３０の動作についてより詳細に説明する。
【０１４１】
図２２は、第１白色基準板３４３の基準面を測色する測色計３４１を示す平面図である。図２２に示すとおり、画像読取装置３０内を矢印Ａの向きに搬送されるロール紙６０は、ラベル描画領域６１とパッチ描画領域６２とを含む。ラベル描画領域６１には、画像形成装置２０によりラベル画像が形成されている。パッチ描画領域６２には、画像形成装置２０によりパッチ画像６５が形成されている。画像形成装置２０による画像形成処理の実行時、測色計３４１は、測色ポイント３４１ａを通過するパッチ画像６５を測色する。
【０１４２】
そして、画像形成装置２０による印刷ジョブの実行中に測色計３４１の校正が行われる場合、まず、パンチ部３５が、ロール紙６０にパンチ穴６７を形成する。そして、測色計３４１が、パンチ穴６７から露出される第１白色基準板３４３ａの基準面３４３ａを測色する。このような構成によれば、印刷ジョブの実行時、搬送経路からロール紙６０を取り除くことなく、測色計３４１の校正を行うことができる。その結果、搬送経路からロール紙６０を取り除く作業者の手間が省略されるとともに、画像形成装置２０の生産性が向上する。
【０１４３】
本発明は、上述した第１および第２実施形態のみに限定されるものではなく、特許請求の範囲内において、種々改変することができる。
【０１４４】
たとえば、上述した第１実施形態では、第１白色基準板と第２白色基準板とが個別に設けられた。しかしながら、第１白色基準板と第２白色基準板とは一体的に形成されてもよい。この場合、たとえば、用紙の搬送経路内に設けられる第１白色基準板が、用紙の搬送経路外まで延設される。
【０１４５】
また、上述した第１および第２実施形態では、測色計を校正する場合を例に挙げて説明した。しかしながら、本発明の読取部は、測色計に限定されるものではなく、本発明は、スキャナーを校正する場合にも適用可能である。
【０１４６】
また、上述した第１および第２実施形態では、画像形成装置と画像読取装置とを有する画像形成システムを例に挙げて説明した。しかしながら、画像読取装置は、画像形成装置に内蔵されてもよい。この場合、画像形成装置の内部に測色計および白色基準板等が備えられ、画像形成装置の制御部により各部の制御が行われる。
【０１４７】
上述した第１および第２実施形態に係る画像形成システムにおける各種処理を行う手段および方法は、専用のハードウエア回路、またはプログラムされたコンピューターのいずれによっても実現することが可能である。上記プログラムは、たとえば、ＣＤ−ＲＯＭ（Ｃｏｍｐａｃｔ  Ｄｉｓｃ  Ｒｅａｄ  Ｏｎｌｙ  Ｍｅｍｏｒｙ）等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、画像形成システムの一機能としてその装置のソフトウエアに組み込まれてもよい。
【符号の説明】
【０１４８】
１  画像形成システム、
１０  給紙装置、
１１，５１  ホルダー、
２０  画像形成装置、
２１，３１，４１  制御部、
２２，３２，４２  記憶部、
２３，３３，４３  通信部、
２４  操作パネル、
２５  給紙部、
２６  画像形成部、
２７  定着部、
３０  画像読取装置、
３４  測色部、
３４１  測色計、
３４２  測色計駆動部、
３４３，３４４  白色基準板、
３４３ａ，３４４ａ  基準面、
３４７  基準板駆動部、
３５  パンチ部、
４０  中綴じ装置、
４４  中綴じ部、
５０  排紙装置、
６０  ロール紙、
６５，７５  パッチ画像、
６７  パンチ穴、
７０  カット紙。
【図１】
2017147562.tif 000003
【図２】
2017147562.tif 000004
【図３】
2017147562.tif 000005
【図４】
2017147562.tif 000006
【図５】
2017147562.tif 000007
【図６】
2017147562.tif 000008
【図７】
2017147562.tif 000009
【図８】
2017147562.tif 000010
【図９】
2017147562.tif 000011
【図１０】
2017147562.tif 000012
【図１１】
2017147562.tif 000013
【図１２】
2017147562.tif 000014
【図１３】
2017147562.tif 000015
【図１４】
2017147562.tif 000016
【図１５】
2017147562.tif 000017
【図１６】
2017147562.tif 000018
【図１７】
2017147562.tif 000019
【図１８】
2017147562.tif 000020
【図１９】
2017147562.tif 000021
【図２０】
2017147562.tif 000022
【図２１】
2017147562.tif 000023
【図２２】
2017147562.tif 000024